(57)【要約】      （修正有）【課題】独立して動作する第１及び第２の装置と、これら装置で共用される操作表示手段とを備えた複合装置において、操作表示部と各装置との接続を切替えるセレクタの切替え制御を担う１つの装置が、省電力モードに移行した場合に、省電力モードを解除しなくても他の装置の表示データを操作表示部に表示できる複合装置等を提供する。【解決手段】切替え制御手段２０の切替え制御を担う第１の装置１００の描画制御手段１０３と操作表示手段３００とが接続されるように、切替え制御手段によりセレクタ３０が切り替えられた状態で、第１の装置が切替え制御を実施不可能な省電力モードに移行する場合は、省電力モードに移行する前に、切替え制御手段２０の切替え制御を担わない第２の装置２００の描画制御手段２０３と操作表示手段３００とが接続されるように、セレクタ３０の事前切替えを行った後、省電力モードに移行する。【選択図】図１
2018133776.tif 000002
【特許請求の範囲】
【請求項１】
独立して動作する第１及び第２の装置と、前記第１及び第２の装置で共用される操作表示手段とを備えた複合装置であって、
前記第１及び第２の装置はそれぞれ、前記操作表示手段に表示される表示データを記憶する表示メモリと、該表示メモリに記憶された表示データを操作表示手段に表示させるための制御を行う描画制御手段とを備え、
前記複合装置はさらに、
前記操作表示手段と第１または第２の装置の描画制御手段との接続を切替え可能なセレクタと、
前記第１の装置によって切替え制御され、前記セレクタによる操作表示手段と第１または第２の装置の描画制御手段との接続切替えを実行する切替え制御手段と、
を備え、
前記切替え制御手段の切替え制御を担う第１の装置の前記描画制御手段と前記操作表示手段とが接続されるように、前記切替え制御手段により前記セレクタが切り替えられた状態で、前記第１の装置が前記切替え制御を実施不可能な省電力モードに移行する場合は、省電力モードに移行する前に、切替え制御手段の切替え制御を担わない前記第２の装置の描画制御手段と前記操作表示手段とが接続されるように、前記セレクタの事前切替えを行った後、省電力モードに移行することを特徴とする複合装置。
【請求項２】
前記第１の装置は、前記セレクタの事前切替えを行う前に、前記第２の装置に対して操作表示手段への表示データの出力停止を指示した後、前記セレクタの事前切替えを行う請求項１に記載の複合装置。
【請求項３】
前記第１の装置が省電力モードに移行した後、前記操作表示手段への表示データの表示を必要としない復帰要求により省電力モードから復帰する場合は、前記第１の装置は前記切替え制御手段によるセレクタの切替えを実施しない請求項１または２に記載の複合装置。
【請求項４】
前記第１の装置が省電力モードに移行した後、前記操作表示手段への表示データの表示を必要とする復帰要求により省電力モードから復帰する場合は、前記第１の装置は前記第２の装置に対して、切替え制御手段によるセレクタの切替えについての許可確認を行い、許可の場合に、第１の装置の描画制御手段と操作表示手段とが接続されるように、前記セレクタの切替えを実施する請求項１〜３のいずれかに記載の複合装置。
【請求項５】
第１の装置は、許可確認後に、第１の装置の描画制御手段と操作表示手段とが接続されるように前記セレクタの切替えを行う場合、操作表示手段への表示データの出力を開始した状態でセレクタの切替えを行う請求項４に記載の複合装置。
【請求項６】
前記切替え制御手段の切替え制御を担う前記第１の装置は画像形成装置であり、前記第２の装置はサーバーであり、
前記画像形成装置が前記セレクタの切替え制御を実施不可能な省電力モードに移行する場合は、省電力モードに移行する前に、前記サーバーの描画制御手段と前記操作表示手段とが接続されるように、前記セレクタの事前切替えを行った後、省電力モードに移行する請求項１〜５のいずれかに記載の複合装置。
【請求項７】
前記画像形成装置が省電力モードに移行した後、前記操作表示手段への表示データの表示を必要としない復帰要求である、外部装置からのプリントジョブに基づく復帰要求により省電力モードから復帰する場合は、前記画像形成装置は前記セレクタの切替えを実施しない請求項６に記載の複合装置。
【請求項８】
前記画像形成装置が省電力モードに移行した後、前記操作表示手段への表示データの表示を必要とする復帰要求である、スキャン実施のための原稿読み取り装置への原稿セットに基づく復帰要求により省電力モードから復帰する場合は、前記画像形成装置は前記サーバーに対して、切替え制御手段によるセレクタの切替えについての許可確認を行い、許可の場合に、前記画像形成装置の描画制御手段と操作表示手段とが接続されるように、前記セレクタの切替えを実施する請求項６または７に記載の複合装置。
【請求項９】
独立して動作する第１及び第２の装置と 前記第１及び第２の装置で共用される操作表示手段とを備えた複合装置であって、
前記第１及び第２の装置はそれぞれ、前記操作表示手段に表示される表示データを記憶する表示メモリと、該表示メモリに記憶された表示データを操作表示手段に表示させるための制御を行う描画制御手段とを有し、
さらに、
前記操作表示手段と第１または第２の装置の描画制御手段との接続を切替え可能なセレクタと、
前記第１の装置によって切替え制御され、前記セレクタによる操作表示手段と第１または第２の装置の描画制御手段との接続切替えを実行する切替え制御手段と、
を備えた複合装置における前記第１の装置のコンピュータに、
前記切替え制御手段に前記セレクタの切替制御を実行させるステップと、
前記第１の装置の描画制御手段と前記操作表示手段とが接続されるように、前記切替え制御手段により前記セレクタが切り替えられた状態で、前記セレクタの切替制御を実施不可能な省電力モードに移行する場合は、省電力モードに移行する前に、切替え制御手段の切替え制御を担わない前記第２の装置の描画制御手段と前記操作表示手段とが接続されるように、前記セレクタの事前切替えを行った後、省電力モードに移行するステップと、
を実行させるための複合装置の制御プログラム。
【請求項１０】
前記セレクタの事前切替えを行う前に、前記第２の装置に対して操作表示手段への表示データの出力停止を指示した後、前記セレクタの事前切替えを行う処理を前記コンピュータにさらに実行させる請求項９に記載の複合装置の制御プログラム。
【請求項１１】
前記第１の装置が省電力モードに移行した後、前記操作表示手段への表示データの表示を必要としない復帰要求により省電力モードから復帰する場合は、前記切替え制御手段によるセレクタの切替えを実施しないように前記コンピュータを動作させる請求項９または１０に記載の複合装置の制御プログラム。
【請求項１２】
前記第１の装置が省電力モードに移行した後、前記操作表示手段への表示データの表示を必要とする復帰要求により省電力モードから復帰する場合は、前記第２の装置に対して、切替え制御手段によるセレクタの切替えについての許可確認を行い、許可の場合に、第１の装置の描画制御手段と操作表示手段とが接続されるように、前記セレクタの切替えを実施する処理を前記コンピュータにさらに実行させる請求項９〜１１のいずれかに記載の複合装置の制御プログラム。
【請求項１３】
許可確認後に、第１の装置の描画制御手段と操作表示手段とが接続されるように前記セレクタの切替えを行う場合、操作表示手段への表示データの出力を開始した状態でセレクタの切替えを行う処理を前記コンピュータにさらに実行させる請求項１２に記載の複合装置の制御プログラム。
【請求項１４】
前記切替え制御手段の切替え制御を担う前記第１の装置は画像形成装置であり、前記第２の装置はサーバーであり、
前記画像形成装置が前記セレクタの切替え制御を実施不可能な省電力モードに移行する場合は、省電力モードに移行する前に、前記サーバーの描画制御手段と前記操作表示手段とが接続されるように、前記セレクタの事前切替えを行った後、省電力モードに移行する処理を画像処理装置のコンピュータに実行させる請求項９〜１３のいずれかに記載の複合装置の制御プログラム。
【請求項１５】
前記画像形成装置が省電力モードに移行した後、前記操作表示手段への表示データの表示を必要としない復帰要求である、外部装置からのプリントジョブに基づく復帰要求により省電力モードから復帰する場合は、前記セレクタの切替えを実施しないように前記コンピュータを動作させる請求項１４に記載の複合装置の制御プログラム。
【請求項１６】
前記画像形成装置が省電力モードに移行した後、前記操作表示手段への表示データの表示を必要とする復帰要求である、スキャン実施のための原稿読み取り装置への原稿セットに基づく復帰要求により省電力モードから復帰する場合は、前記サーバーに対して、切替え制御手段によるセレクタの切替えについての許可確認を行い、許可の場合に、前記画像形成装置の描画制御手段と操作表示手段とが接続されるように、前記セレクタの切替えを実施する処理を前記コンピュータに実行させる請求項１４または１５に記載の複合装置の制御プログラム。
【発明の詳細な説明】
【技術分野】
【０００１】
この発明は、多機能デジタル画像形成装置であるＭＦＰ（Multi Function Peripherala）等の画像形成装置とサーバーのように、独立して動作する複数の装置を備えた複合装置及び同装置の制御プログラムに関する。
【背景技術】
【０００２】
オフィス等では紙媒体を中心に扱う上記ＭＦＰの他に、電子データを扱うサーバーのような情報処理装置も多く使用されており、さらにこれらのＭＦＰと情報処理装置の両方を使用して複合的な処理を実行させることも一般に行われている。
【０００３】
このため、オフィス全体の装置の運用や管理を簡素化すること等を目的として、ＭＦＰと情報処理装置のような独立して動作する複数の装置を１つの筐体に収容して１つの複合装置として提供することが考えられている。
【０００４】
この場合、複合装置内の各装置は本来的にそれぞれ独立で動作可能であるため、操作画面等の各種の表示データを表示しかつユーザーが操作を行うための操作パネル等の操作表示部を、各装置が別個独立に備えている構成も、勿論可能である。
【０００５】
しかし、この場合は１つの複合装置に複数の操作表示部が存在することになり、ユーザーにとっては使い勝手が良くない上、操作表示部は外部に露出していることからそれらの設置スペースも増加し、複数の装置を複合装置として１つに纏める意義が減殺されてしまう。
【０００６】
そこで、各装置から操作表示部を共用できるように操作表示部を一つにし、必要に応じて操作表示部と各装置との接続をセレクタで選択的に切替えて使用することが提案されている。
【０００７】
この場合、セレクタによる操作表示部と各装置との接続切替えの制御を、複数の装置のうちの１つが代表して行う構成が考えられる。
【０００８】
しかしながら、セレクタによる操作表示部と各装置との接続切替えの制御を、１つの装置が代表して行う場合、次のような課題があった。
【先行技術文献】
【特許文献】
【０００９】
【特許文献１】特開２０１２−０９００１４号公報
【発明の概要】
【発明が解決しようとする課題】
【００１０】
即ち、複数の装置はそれぞれ独立した電源構成を有し、それぞれ独立して電源のオン／オフ、省電力モードへの移行／復帰が可能である。複数の装置が例えば画像形成装置とサーバーであり、画像形成装置がセレクタによる操作表示部との接続切替えを行っているものとし、画像形成装置とサーバーが共に電源オン状態で、操作表示部が画像形成装置と接続されている場合、画像形成装置で生成された表示データが操作表示部に表示されることになる。この状態で、画像形成装置が省電力モードに移行すると、操作表示部が画像形成装置と接続されたままとなる。
【００１１】
画像形成装置が省電力モードの状態にあるとき、サーバーに対して画像形成装置を使用しないサーバー固有のジョブ、つまり画像形成装置を省電力モードから復帰させる必要の無いジョブが投入された場合、セレクタは画像形成装置と操作表示部を接続した状態であるため、サーバーで生成された表示データを操作表示部に表示するためには、一度画像形成装置を省電力モードから復帰させた後、セレクタによる接続切替えを画像形成装置の制御のもとで実行させ、セレクタをサーバー側に切換える必要がある。そのため、セレクタをサーバー側に切換えるだけの目的で、画像形成装置を省電力モードから復帰させることになり、消費電力や復旧時間が増加するという課題があった。
【００１２】
なお、特許文献１には、外部からの要求によって通常電力モードに移行した際に、要求された画像入出力処理に応じた操作画面に自動的に切り替えることができる複合機が開示されている。
【００１３】
しかし、特許文献１に記載の技術は単体の装置で処理が実行される技術であり、独立して動作する複数の装置を備えた１つの複合装置に関する技術ではなく、このため、複合装置において１つの操作表示手段を共用する場合に生じる、省電力モードへの移行時の上記課題に対して、解決策を提供しうるものではなかった。
【００１４】
この発明は、このような技術的背景に鑑みてなされたものであって、独立して動作する第１及び第２の装置と、これら第１及び第２の装置で共用される操作表示手段とを備えた複合装置において、操作表示部と各装置との接続を切替えるセレクタの切替え制御を担う１つの装置が、省電力モードに移行した場合に、省電力モードを解除しなくても他の装置の表示データを操作表示部に表示できる複合装置及び同装置の制御プログラムの提供を課題とする。
【課題を解決するための手段】
【００１５】
上記課題は、以下の手段によって解決される。
（１）独立して動作する第１及び第２の装置と、前記第１及び第２の装置で共用される操作表示手段とを備えた複合装置であって、前記第１及び第２の装置はそれぞれ、前記操作表示手段に表示される表示データを記憶する表示メモリと、該表示メモリに記憶された表示データを操作表示手段に表示させるための制御を行う描画制御手段とを備え、前記複合装置はさらに、前記操作表示手段と第１または第２の装置の描画制御手段との接続を切替え可能なセレクタと、前記第１の装置によって切替え制御され、前記セレクタによる操作表示手段と第１または第２の装置の描画制御手段との接続切替えを実行する切替え制御手段と、を備え、前記切替え制御手段の切替え制御を担う第１の装置の前記描画制御手段と前記操作表示手段とが接続されるように、前記切替え制御手段により前記セレクタが切り替えられた状態で、前記第１の装置が前記切替え制御を実施不可能な省電力モードに移行する場合は、省電力モードに移行する前に、切替え制御手段の切替え制御を担わない前記第２の装置の描画制御手段と前記操作表示手段とが接続されるように、前記セレクタの事前切替えを行った後、省電力モードに移行することを特徴とする複合装置。
（２）前記第１の装置は、前記セレクタの事前切替えを行う前に、前記第２の装置に対して操作表示手段への表示データの出力停止を指示した後、前記セレクタの事前切替えを行う前項１に記載の複合装置。
（３）前記第１の装置が省電力モードに移行した後、前記操作表示手段への表示データの表示を必要としない復帰要求により省電力モードから復帰する場合は、前記第１の装置は前記切替え制御手段によるセレクタの切替えを実施しない前項１または２に記載の複合装置。
（４）前記第１の装置が省電力モードに移行した後、前記操作表示手段への表示データの表示を必要とする復帰要求により省電力モードから復帰する場合は、前記第１の装置は前記第２の装置に対して、切替え制御手段によるセレクタの切替えについての許可確認を行い、許可の場合に、第１の装置の描画制御手段と操作表示手段とが接続されるように、前記セレクタの切替えを実施する前項１〜３のいずれかに記載の複合装置。
（５）第１の装置は、許可確認後に、第１の装置の描画制御手段と操作表示手段とが接続されるように前記セレクタの切替えを行う場合、操作表示手段への表示データの出力を開始した状態でセレクタの切替えを行う前項４に記載の複合装置。
（６）前記切替え制御手段の切替え制御を担う前記第１の装置は画像形成装置であり、前記第２の装置はサーバーであり、前記画像形成装置が前記セレクタの切替え制御を実施不可能な省電力モードに移行する場合は、省電力モードに移行する前に、前記サーバーの描画制御手段と前記操作表示手段とが接続されるように、前記セレクタの事前切替えを行った後、省電力モードに移行する前項１〜５のいずれかに記載の複合装置。
（７）前記画像形成装置が省電力モードに移行した後、前記操作表示手段への表示データの表示を必要としない復帰要求である、外部装置からのプリントジョブに基づく復帰要求により省電力モードから復帰する場合は、前記画像形成装置は前記セレクタの切替えを実施しない前項６に記載の複合装置。
（８）前記画像形成装置が省電力モードに移行した後、前記操作表示手段への表示データの表示を必要とする復帰要求である、スキャン実施のための原稿読み取り装置への原稿セットに基づく復帰要求により省電力モードから復帰する場合は、前記画像形成装置は前記サーバーに対して、切替え制御手段によるセレクタの切替えについての許可確認を行い、許可の場合に、前記画像形成装置の描画制御手段と操作表示手段とが接続されるように、前記セレクタの切替えを実施する前項６または７に記載の複合装置。
（９）独立して動作する第１及び第２の装置と 前記第１及び第２の装置で共用される操作表示手段とを備えた複合装置であって、前記第１及び第２の装置はそれぞれ、前記操作表示手段に表示される表示データを記憶する表示メモリと、該表示メモリに記憶された表示データを操作表示手段に表示させるための制御を行う描画制御手段とを有し、さらに、前記操作表示手段と第１または第２の装置の描画制御手段との接続を切替え可能なセレクタと、前記第１の装置によって切替え制御され、前記セレクタによる操作表示手段と第１または第２の装置の描画制御手段との接続切替えを実行する切替え制御手段と、を備えた複合装置における前記第１の装置のコンピュータに、前記切替え制御手段に前記セレクタの切替制御を実行させるステップと、前記第１の装置の描画制御手段と前記操作表示手段とが接続されるように、前記切替え制御手段により前記セレクタが切り替えられた状態で、前記セレクタの切替制御を実施不可能な省電力モードに移行する場合は、省電力モードに移行する前に、切替え制御手段の切替え制御を担わない前記第２の装置の描画制御手段と前記操作表示手段とが接続されるように、前記セレクタの事前切替えを行った後、省電力モードに移行するステップと、を実行させるための複合装置の制御プログラム。
（１０）前記セレクタの事前切替えを行う前に、前記第２の装置に対して操作表示手段への表示データの出力停止を指示した後、前記セレクタの事前切替えを行う処理を前記コンピュータにさらに実行させる前項９に記載の複合装置の制御プログラム。
（１１）前記第１の装置が省電力モードに移行した後、前記操作表示手段への表示データの表示を必要としない復帰要求により省電力モードから復帰する場合は、前記切替え制御手段によるセレクタの切替えを実施しないように前記コンピュータを動作させる前項９または１０に記載の複合装置の制御プログラム。
（１２）前記第１の装置が省電力モードに移行した後、前記操作表示手段への表示データの表示を必要とする復帰要求により省電力モードから復帰する場合は、前記第２の装置に対して、切替え制御手段によるセレクタの切替えについての許可確認を行い、許可の場合に、第１の装置の描画制御手段と操作表示手段とが接続されるように、前記セレクタの切替えを実施する処理を前記コンピュータにさらに実行させる前項９〜１１のいずれかに記載の複合装置の制御プログラム。
（１３）許可確認後に、第１の装置の描画制御手段と操作表示手段とが接続されるように前記セレクタの切替えを行う場合、操作表示手段への表示データの出力を開始した状態でセレクタの切替えを行う処理を前記コンピュータにさらに実行させる前項１２に記載の複合装置の制御プログラム。
（１４）前記切替え制御手段の切替え制御を担う前記第１の装置は画像形成装置であり、前記第２の装置はサーバーであり、前記画像形成装置が前記セレクタの切替え制御を実施不可能な省電力モードに移行する場合は、省電力モードに移行する前に、前記サーバーの描画制御手段と前記操作表示手段とが接続されるように、前記セレクタの事前切替えを行った後、省電力モードに移行する処理を画像処理装置のコンピュータに実行させる前項９〜１３のいずれかに記載の複合装置の制御プログラム。
（１５）前記画像形成装置が省電力モードに移行した後、前記操作表示手段への表示データの表示を必要としない復帰要求である、外部装置からのプリントジョブに基づく復帰要求により省電力モードから復帰する場合は、前記セレクタの切替えを実施しないように前記コンピュータを動作させる前項１４に記載の複合装置の制御プログラム。
（１６）前記画像形成装置が省電力モードに移行した後、前記操作表示手段への表示データの表示を必要とする復帰要求である、スキャン実施のための原稿読み取り装置への原稿セットに基づく復帰要求により省電力モードから復帰する場合は、前記サーバーに対して、切替え制御手段によるセレクタの切替えについての許可確認を行い、許可の場合に、前記画像形成装置の描画制御手段と操作表示手段とが接続されるように、前記セレクタの切替えを実施する処理を前記コンピュータに実行させる前項１４または１５に記載の複合装置の制御プログラム。
【発明の効果】
【００１６】
前項（１）及び（９）に記載の発明によれば、セレクタの切替え制御を担う第１の装置の描画制御手段と操作表示手段とが接続されるように、切替え制御手段によりセレクタが切り替えられた状態で、第１の装置が切替え制御を実施不可能な省電力モードに移行する場合は、省電力モードに移行する前に、切替え制御を担わない第２の装置の描画制御手段と操作表示手段とが接続されるように、セレクタの事前切替えが行われ、その後に第１の装置が省電力モードに移行する。このため、第１の装置が省電力モードの状態にあるとき、第２の装置に対して第１の装置を省電力モードから復帰させる必要の無いジョブが投入された場合であっても、第２の装置の描画制御手段と操作表示手段とは既に接続されていることになり、第２の装置側の画面が操作表示手段に表示されるから、セレクタを第２の装置と操作表示手段との接続に切換えるだけの目的で、第１の装置を省電力モードから復帰させる必要は無くなり、消費電力や復旧時間が増加するという課題を解消できる。
【００１７】
前項（２）及び（１０）に記載の発明によれば、セレクタの事前切替えを行う前に、第２の装置に対する操作表示手段への表示データの出力停止を指示するから、セレクタの事前切替え後も第２の装置に対する操作表示手段への表示データの出力が停止されることになる。つまり、操作表示手段の画面は消灯状態になるから、ユーザーは複合装置が省電力モードであることを認識することができる。
【００１８】
前項（３）及び（１１）に記載の発明によれば、第１の装置が省電力モードに移行した後、操作表示手段への表示データの表示を必要としない復帰要求により省電力モードから復帰する場合は、第１の装置はセレクタの切替えを実施しないから、第２の装置側の画面を操作表示手段に表示してユーザーが操作を行っている場合は、セレクタの切替えにより画面表示が意図せず切替えられて操作に支障を来すといった不都合はない。
【００１９】
前項（４）及び（１２）に記載の発明によれば、第１の装置が省電力モードに移行した後、操作表示手段への表示データの表示を必要とする復帰要求により省電力モードから復帰する場合は、第１の装置は第２の装置に対して、セレクタの切替えについての許可確認を行い、許可の場合に、第１の装置の描画制御手段と操作表示手段とが接続されるように、セレクタの切替えを実施するから、第２の装置側の画面を操作表示手段に表示してユーザーが操作を行っている場合に、セレクタの切替えにより画面表示が意図せず切替えられてしまう不都合の発生を回避できる。
【００２０】
前項（５）及び（１３）に記載の発明によれば、第１の装置は、許可確認後に、第１の装置の描画制御手段と操作表示手段とが接続されるようにセレクタの切替えを行う場合、操作表示手段への表示データの出力を開始した状態でセレクタの切替えを行うから、第２の装置側の画面が操作表示手段に表示されていても、画面消灯の時間を挟むことなく切替えと同時に第１の装置側の画面が操作表示手段に表示されることになる。このため、ユーザーが故障等と勘違いするのを防止できる。
【００２１】
前項（６）及び（１４）に記載の発明によれば、画像形成装置がセレクタの切替え制御を実施不可能な省電力モードに移行する場合は、省電力モードに移行する前に、サーバーの描画制御手段と操作表示手段とが接続されるように、セレクタの事前切替えを行った後、省電力モードに移行するから、セレクタをサーバーと操作表示部との接続に切換えるだけの目的で、画像形成装置を省電力モードから復帰させる必要は無くなる。
【００２２】
前項（７）及び（１５）に記載の発明によれば、画像形成装置が省電力モードに移行した後、操作表示手段への表示データの表示を必要としない復帰要求である、外部装置からのプリントジョブに基づく復帰要求により省電力モードから復帰する場合は、画像形成装置はセレクタの切替えを実施しないから、サーバー側の画面を操作表示手段に表示してユーザーが操作を行っている場合は、セレクタの切替えにより画面表示が停止して操作に支障を来すといった不都合はない。
【００２３】
前項（８）及び（１６）に記載の発明によれば、画像形成装置が省電力モードに移行した後、操作表示手段への表示データの表示を必要とする復帰要求である、スキャン実施のための原稿読み取り装置への原稿セットに基づく復帰要求により省電力モードから復帰する場合は、画像形成装置はサーバーに対して、セレクタの切替えについての許可確認を行い、許可の場合に、画像形成装置の描画制御手段と操作表示手段とが接続されるように、セレクタの切替えを実施するから、サーバー側の画面を操作表示手段に表示してユーザーが操作を行っている場合に、セレクタの切替えにより画面表示が意図せず停止する不都合の発生を回避できる。
【図面の簡単な説明】
【００２４】
【図１】この発明の一実施形態に係る複合装置の構成を示すブロック図である。
【図２】初期メニュー画面を示す図である。
【図３】図２に示す初期メニュー画面において、ユーザーが「ＩＴ機能１」ボタンを操作した場合に遷移する設定操作画面を示す図である。
【図４】図２に示す初期メニュー画面において、ユーザーがユーザーが「ＭＦＰ機能１（コピー）」ボタンを操作した場合に遷移する設定操作画面を示す図である。
【図５】図１に示した複合装置において、画像形成装置が省電力モードに移行する際の動作を示すフローチャートである。
【発明を実施するための形態】
【００２５】
以下、この発明の実施形態を図面に基づいて説明する。
【００２６】
図１は、この発明の一実施形態に係る複合装置１０の構成を示すブロック図である。複合装置は独立して動作可能な複数の装置を備えている。この実施形態では、複数の装置として、いずれも独立して動作するＭＦＰからなる画像処理装置１００と、パーソナルコンピュータ等からなり複数のアプリケーションプログラムのインストール・実行が可能なサーバー２００が用いられ、これらの、画像処理装置１００とサーバー２００が１つの筐体に収容されて複合装置１０を構成している。以下の説明では、画像処理装置をＭＦＰともいう。なお、ＭＦＰ１００とサーバー２００は必ずしも１つの筐体に収容されていなくても良く、ＭＦＰ１００とサーバー２００が隣接配置されているようなものも複合装置１０に含まれる。
【００２７】
複合装置１０は、上述したＭＦＰ１００と、サーバー２００と、これら両装置で共用される１個の操作表示部３００とを有している。
【００２８】
ＭＦＰ１００はそれ自体が独立して動作するため、システム制御部１０２、描画制御部１０３、図示しない記憶部等を有している。システム制御部１０２は、ＭＦＰ１００の全体を制御するものであり、図示しないＣＰＵ、ＲＯＭ、ＲＡＭ等を有している。また、ステム制御部１０２は後述するように、切替え制御部２０の制御を担っており、ＭＦＰ１００側の表示データとサーバー２００側の表示データを切替えて操作表示部３００に表示するようになっている。
【００２９】
さらに、システム制御部１０２にはエンジン制御部１０６やスキャナー制御部１０７、外部インターフェース（Ｉ／Ｆ）制御部１０８等が接続されている。エンジン制御部１０６は画像の形成を行うエンジン部を制御し、スキャナー制御部１０７は原稿の読み取りを行うスキャナー（原稿読み取り装置）を制御するものであり、エンジン制御部１０６、スキャナー制御部１０７は、システム制御部１０２の制御に基づいて、ユーザー操作の受け付け、コピー機能、プリンタ機能、スキャン機能等の機能を実行する。外部インターフェース制御部１０８は、システム制御部１０２の指令に基づいて、ＬＡＮ等のネットワークとＭＦＰ１００を接続する制御を行う。
【００３０】
描画制御部１０３は、表示データ１０４を記憶するＶＲＡＭと称されるような表示メモリ１０５を有しており、表示メモリ１０５に記憶されている表示データを操作表示部３００に転送して表示させたり、自装置に保有されている操作ボタン、メッセージ等の多数の表示パーツを組み合わせて表示データ１０４を生成して表示メモリ１０５に記憶させ、必要に応じて表示メモリ１０５の内容の更新等を行う。
【００３１】
一方、サーバー２００もそれ自体が独立して動作するため、システム制御部２０２と描画制御部２０３を有している。システム制御部２０２は、サーバー２００の全体を制御するものであり、図示しないＣＰＵ、ＲＯＭ、ＲＡＭ等を有している。システム制御部２０２の制御に基づいて、ユーザー操作の受け付けや、受け付けた操作に応じた処理等が実行される。また、システム制御部２０２は、ＭＦＰ１００のシステム制御部１０２と通信が可能であり、サーバー２００側の表示データを操作表示部３００に表示させたい場合は、ＭＦＰ１００のシステム制御部１０２に接続要求を行い、この接続要求を受けたＭＦＰ１００のシステム制御部１０２の制御により、セレクタ３０がサーバー２００側に切替えられ、サーバー２００側の表示データが操作表示部３００に表示されるようになっている。
【００３２】
描画制御部２０３は、表示データ２０４を記憶する表示メモリ２０５を有しており、表示メモリ２０５に記憶されている表示データを操作表示部３００に転送して表示させたり、自装置に保有されている操作ボタン、メッセージ等の多数の表示パーツを組み合わせて表示データ２０４を生成し表示メモリ２０５に記憶させ、必要に応じて表示メモリ２０５の内容の更新等を行う。
【００３３】
なお、サーバー２００はシステム制御部２０２や描画制御部２０３の他に、ハードディスク装置等の記憶装置や、外部インターフェース制御部２０６等を有している。外部インターフェース制御部２０６は、システム制御部２０２の指令に基づいて、ＬＡＮ等のネットワークとサーバー２００を接続する制御を行う。
【００３４】
操作表示部３００は、たとえば液晶装置等により構成された表示装置であり、表面にタッチパネルが積層されている。これにより、ユーザーが画面をタッチすると、タッチ座標を示すタッチ情報が、図示しない入出力インターフェースを介してＭＦＰ１００またはサーバー２００に送信され、ＭＦＰ１００またはサーバー２００がタッチされた座標データに対応する処理を実行したり、表示メモリ１０５、２０５に記憶された表示データを操作表示部３００に転送して表示させるようになっている。
【００３５】
この実施形態では、１つの操作表示部３００をＭＦＰ１００とサーバー２００で共用するため、複合装置１０にはセレクタ３０と切替え制御部２０が備えられている。
【００３６】
セレクタ３０は、ＭＦＰ１００及びサーバー２００の各描画制御部１０３、２０３と操作表示部３００との接続を切り替えるものである。つまり、セレクタ３０によってＭＦＰ１００の描画制御部１０３と操作表示部３００との接続に切り替えられたときは、ＭＦＰ１００の表示メモリ１０５に記憶されている表示データ１０４がセレクタ３０を介して操作表示部３００に転送され表示される。また、操作表示部３００に表示されたＭＦＰ１００側の操作画面に対してユーザーにより操作が行われたときは、操作表示部３００からタッチ情報が図示しない入出力インターフェースを介してＭＦＰ１００に送信される。
【００３７】
セレクタ３０によってサーバー２００の描画制御部２０３と操作表示部３００との接続に切り替えられたときは、サーバー２００の表示メモリ２０５に記憶されている表示データ２０４がセレクタ３０を介して操作表示部３００に転送され表示される。また、操作表示部３００に表示されたサーバー２００側の操作画面に対してユーザーにより操作が行われたときは、操作表示部３００からタッチ情報が図示しない入出力インターフェースを介してサーバー２００に送信される。
【００３８】
切替え制御部２０は、ＭＦＰ１００のシステム制御部１０２からの制御信号により、セレクタ３０による接続切替えを制御する。つまり、ＭＦＰ１００のシステム制御部１０２は、自身の表示データを操作表示部３００に表示するときは、ＭＦＰ１００の描画制御部１０３と操作表示部３００がセレクタ３０によって接続されるように、切替え制御部２０を制御する。一方、ＭＦＰ１００のシステム制御部１０２がサーバー２００のシステム制御部２０２からの接続要求を受信したときは、ＭＦＰ１００のシステム制御部１０２は、セレクタ３０によりサーバー２００の描画制御部２０３と操作表示部３００とが接続されるように、切替え制御部２０を制御する。
【００３９】
このように、この実施形態では操作表示部３００はＭＦＰ１００とサーバー２００とで共用されるから、１つの操作表示部３００で足り、各装置毎に操作表示部３００が備えられている場合に較べて操作表示部３００の数が少なくて済み、操作性が良好になり、操作表示部３００の設置スペースも少なくて済み、その分複合装置１０の小型化を図ることができる。
【００４０】
また、ＭＦＰ１００及びサーバー２００の各システム制御部１０２、２０２は相互に通信部１１を介して通信可能に接続されていて、互いの表示データや各種の情報を送受信可能であるほか、前述したように、サーバー２００のシステム制御部２０２からＭＦＰ１００のシステム制御部１０２に対して接続要求を発行できるようになっている。
【００４１】
なお通信部１１は例えばＵＳＢインターフェース等を用いて構成されていても良いし、ネットワークを介して構成されていても良い。
【００４２】
次に、操作表示部３００に表示される画面について説明する。
【００４３】
この実施形態では、複合装置１０の非使用状態（初期状態）では、切替え制御部２０によりセレクタ３０はＭＦＰ１００の描画制御部１０３と操作表示部３００を接続するように設定されており、操作表示部３００には初期画面として図２に示す初期メニュー画面が表示される。この初期メニュー画面は、この実施形態ではＭＦＰ１００側で作成された表示データに基づく画面であり、ユーザーが使用可能なサーバー２００とＭＦＰ１００のそれぞれの機能を示す機能ボタンが表示されている。なお、初期メニュー画面は、サーバー２００側で作成された表示データに基づく画面であっても良い。
【００４４】
初期メニュー画面中、「サーバー機能」の項目の下方に表示されている「ＩＴ機能１」「ＩＴ機能２」「ＩＴ機能３」「ＩＴ機能４」の各機能ボタンが、サーバー２００側の各機能を使用するための機能ボタン群２１０である。また、「ＭＦＰ機能」の項目の下方に表示されている「ＭＦＰ機能１（コピー）」「ＭＦＰ機能２（スキャン）」「ＭＦＰ機能３（ファックス）」「ＭＦＰ機能１（ボックス）」の各機能ボタンが、ＭＦＰ１００側の機能であるコピー機能、スキャン機能、ファクシミリ機能、ボックス機能を使用するための機能ボタン群１１０である。なお、ボックス機能とはボックスと称される記憶領域を利用した機能であり、例えばスキャンした文書等をボックスに保存したり、ボックスに保存されている文書等を外部に送信等する機能である。
【００４５】
ユーザーが何れかの機能ボタンをタッチ操作すると、タッチ操作がタッチパネルにより検出され、タッチ操作に対応する操作情報がＭＦＰ１００のシステム制御部１０２へ通知される。
【００４６】
例えばユーザーがサーバー２００の機能を使用するための機能ボタン群２１０の中のいずれかのボタンを操作すると、サーバー１００のシステム制御部１０２は機能ボタンが操作されたことをサーバー２００のシステム制御部２０２に通知する。通知を受けたサーバー２００のシステム制御部２０２は、対応する画面の表示データを描画制御部２０３に生成させるとともに、接続要求をＭＦＰ１００のシステム制御部１０２に発行する。
【００４７】
この要求を受けたサーバー１００のシステム制御部１０２は、セレクタ３０がサーバー２００の描画制御部２０３と操作表示部３００を接続するように切替え制御部２０を制御する。これによって、操作表示部３００の接続がＭＦＰ１００の描画制御部１０３からサーバー２００の描画制御部２０３に切替えられ、サーバー２００側の表示データが操作表示部３００に表示される。例えば、ユーザーが「ＩＴ機能１」ボタン２１１を操作した場合は、図３に示すＩＴ機能１の設定操作画面が表示される。
【００４８】
一方、図２の初期メニュー画面において、ユーザーがＭＦＰ１００側の機能を使用するための機能ボタン群１１０の中のいずれかのボタンを操作した場合、ＭＦＰ１００は通知された操作情報に基づいて、対応する機能の操作画面の表示データを作成する。そして、サーバー１００のシステム制御部１０２は、セレクタ３０がＭＦＰ１００の描画制御部１０３と操作表示部３００を接続するように切替え制御部２０を制御する。既に接続されている場合は、そのまま接続が維持され、ＭＦＰ１００側の表示データが操作表示部３００に表示される。例えば、ユーザーが「ＭＦＰ機能１（コピー）」ボタン１１１を操作した場合は、図４に示すＭＦＰコピー設定操作画面が表示される。
【００４９】
図３及び図４に示した各設定操作画面において、ユーザーが設定ボタンを押して設定を行うと、対応する操作情報がＭＦＰ１００やサーバー２００に通知される。ＭＦＰ１００またはサーバー２００は操作情報に応じて必要な処理を行い、または次に遷移する画面の表示データを作成する。ＭＦＰ１００のシステム制御部１０２は、必要に応じてセレクタ３０の切替えを切替え制御部２０を介して制御し、ＭＦＰ１００またはサーバー２００で作成された表示データが操作表示部３００に表示される。
【００５０】
操作が終了すると、操作表示部３００の表示画面は図２の初期メニュー画面に戻る。
【００５１】
ところで、ＭＦＰ１００及びサーバー２００はいずれも、予め設定された一定時間操作がなされなかった場合は、消費電力の抑制のために省電力モードに移行する設定がなされている。しかしながら、この実施形態では、ＭＦＰ１００のシステム制御部１０２が、切替え制御部２０によるセレクタ３０の切替え制御を担っており、サーバー２００は制御を担っていないため、ＭＦＰ１００が省電力モードに移行すると、次のような問題が発生する。
【００５２】
即ち、操作表示部３００がＭＦＰ１００の描画制御部１０３と接続されている状態で、ＭＦＰ１００が省電力モードに移行すると、操作表示部３００がＭＦＰ１００の描画制御部１０３と接続されたまま、画面が消灯することになる。
【００５３】
このとき、サーバー２００に対してＭＦＰ１００を使用しないサーバー固有のジョブ、つまりＭＦＰ１００画像電力モードから復帰させる必要の無いジョブが投入された場合、セレクタ３０はＭＦＰ１００と操作表示部３００を接続した状態であるため、サーバー２００で生成された表示データを操作表示部３００に表示するためには、サーバー２００のシステム制御部２０２からＭＦＰ１００のシステム制御部１０２へ接続要求を発行し、一度ＭＦＰ１００を省電力モードから復帰させた後、セレクタ３０による接続切替えをＭＦＰ１００の制御のもとで実行させ、セレクタ３０をサーバー２００側に切換える必要がある。そのため、セレクタ３０をサーバー２００側に切換えるだけの目的で、ＭＦＰ１００を省電力モードから復帰させることになり、消費電力や復旧時間が増加する。
【００５４】
そこで、この実施形態では、ＭＦＰ１００の描画制御部１０３と操作表示部３００とが接続されるように、切替え制御部２０によりセレクタ３０が切り替えられた状態で、ＭＦＰ１００が切替え制御を実施不可能な省電力モードに移行する場合は、省電力モードに移行する前に、切替え制御部２０の切替え制御を担わないサーバー２００の描画制御部２０３と操作表示部３００とが接続されるように、セレクタ３０の事前切替えを行った後、省電力モードに移行するようになっている。
【００５５】
このように、セレクタ３０の事前切替えが行われ、その後にＭＦＰ１００が省電力モードに移行するから、ＭＦＰ１００が省電力モードの状態にあるとき、サーバー２００に対してＭＦＰ１００を省電力モードから復帰させる必要の無いジョブが投入された場合であっても、サーバー２００の描画制御部２０３と操作表示部３００とは既に接続されていることになり、サーバー２００側の画面が操作表示部３００に表示されるから、セレクタ３０をサーバー２００と操作表示部３００との接続に切換えるだけの目的で、ＭＦＰ１００を省電力モードから復帰させる必要は無くなり、消費電力や復旧時間が増加するのを防止できる。
【００５６】
図５は、複合装置１０のＭＦＰ１００が省電力モードへ移行する際のＭＦＰ１００及びサーバー２００のの動作を説明するためのフローチャートである。なお、図５に示されるＭＦＰ１００の動作は、ＭＦＰ１００のシステム制御部１０２に備えられた図示しないＣＰＵが、図示しないＲＯＭ等に格納された動作プログラムに従って動作することにより実行され、サーバー２００の動作は、サーバー２００のシステム制御部２０２に備えられた図示しないＣＰＵが、図示しないＲＯＭ等に格納された動作プログラムに従って動作することにより実行される。
【００５７】
省電力モードへの移行に際して、ＭＦＰ１００はステップＳ１０１で、セレクタ３０はＭＦＰ１００側を操作表示部３０と接続しているかどうかを判断する。接続していれば（ステップＳ１０１でＹ）、ステップＳ１０２でサーバー画面の消灯を指示し、ステップＳ１０３で、切替え制御部２０を介してセレクタ３０をサーバー２００側に切替えたのち、ステップＳ１０４に進む。つまり、省電力モードに移行する前に、セレクタ３０をサーバー２００側に事前切替えする。ステップＳ１０１で、セレクタ３０がＭＦＰ１００側を操作表示部３０と接続していない場合、つまりサーバー２００側を操作表示部３０と接続している場合は（ステップＳ１０１でＮ）、そのままステップＳ１０４に進む。そして、ステップＳ１０４でＭＦＰ１００は省電力モードに移行する。
【００５８】
省電力モード中に、ステップＳ１０５でＭＦＰ１００へジョブ入力（復帰要求）があると、ステップＳ１０６て省電力モードから復帰する。次いでステップＳ１０７で、入力されたジョブによる復帰要求がＭＦＰ１００側の画面の表示が必要な復帰要求かどうかを判断する。画面の表示が必要な復帰要求の一例としては、例えばスキャン実施のための原稿読み取り装置への原稿セットに基づく復帰要求がある。画面の表示が必要でない復帰要求の一例としては、例えば外部装置からのプリントジョブに基づく復帰要求がある。
【００５９】
ＭＦＰ１００側の画面の表示が必要な復帰要求の場合は（ステップＳ１０７でＹ）、ステップＳ１０８で、セレクタ３０をＭＦＰ１００側との接続に切り替えても良いかどうかの可否をサーバー２００に対して確認したのち、ステップＳ１０９で、サーバー２００からの回答が切替え許可かどうかを判定する。
【００６０】
切替え許可の場合（ステップＳ１０９でＹ）、ステップＳ１１０で、切替え制御部２０を介してセレクタ３０をＭＦＰ１１０側に切替えたのち、ステップＳ１１１でジョブを実行する。なお、ＭＦＰ１００が、許可確認後に、ＭＦＰ１００の描画制御部１０３と操作表示部３００とが接続されるようにセレクタ３０の切替えを行う場合、操作表示部３００への表示データの出力を開始した状態でセレクタ３０の切替えを行うのが良い。これによって、サーバー２００側の画面が操作表示部３００に表示されていても、画面消灯の時間を挟むことなく切替えと同時にＭＦＰ１００側の画面が操作表示部３００に表示されることになる。このため、ユーザーが故障等と勘違いするのを防止できる。
【００６１】
ステップＳ１０７で、ＭＦＰ１００側の画面の表示が必要な復帰要求でない場合は（ステップＳ１０７でＮ）、そのままステップＳ１１１に進み、ジョブを実行する。従ってこの場合は、セレクタ３０による接続切替えは行われず、サーバー２００の描画制御部２０３と操作表示部３００との接続が維持される。このように、ＭＦＰ１００が省電力モードに移行した後、操作表示部３００への表示データの表示を必要としない復帰要求により省電力モードから復帰する場合は、ＭＦＰ１００はセレクタ３０の切替えを実施しないから、サーバ−２００側の画面を操作表示部３００に表示してユーザーが操作を行っている場合は、セレクタ３０の切替えにより画面表示が意図せず切替えられて操作に支障を来すといった不都合はない。
【００６２】
ステップＳ１０９で切替え許可でなかった場合も（ステップＳ１０９でＮ）、そのままステップＳ１１１に進み、ジョブを実行する。この場合も、セレクタ３０による接続切替えは行われず、サーバー２００の描画制御部２０３と操作表示部３００との接続が維持される。
【００６３】
一方、サーバー２００は、ＭＦＰ１００からの画面消灯指示（ステップＳ１０２）を受けて、ステップＳ１２１で、操作表示部３００への表示データの出力を停止する。これによって表示画面は消灯する。従って、ＭＦＰ１００の省電力モードへの移行後は操作表示部３００は消灯状態となり、複合装置１０を使用したいユーザーは複合装置１０が省電力モード中であることを認識できる。
【００６４】
ステップＳ１２２で、サーバー２００にジョブが投入されると、サーバー２００の描画制御部２０３は対応する表示データを作成し、操作表示部３００に出力する。ＭＦＰ１００によりセレクタ３０のサーバー２００側への事前切替えが行われているため、既にサーバー２００の描画制御部２０３と操作表示部３００とは接続されているから、ステップＳ１２３でサーバー２００側の画面が操作表示部３００に表示される。つまり、セレクタ３０をサーバー２００側へ切り替えてもらうために、ＭＦＰ１００を省電力モードから復帰させる必要は無く、サーバー２００側の画面を操作表示部３００に表示できる。
【００６５】
そして、ステップＳ１２４でサーバー２００は投入されたジョブを実行し、実行後はステップＳ１２５で表示画面を消灯する。
【００６６】
ＭＦＰ１００からセレクタ３０の切替え可否の問い合わせ（ステップＳ１０８）があると、サーバー２００はステップＳ１２６でセレクタ３０の切替え可否を判断する。例えば、サーバー２００が動作中で操作表示部３００に画面が表示されている場合は、切替え不可をＭＦＰ１００に通知する。
【００６７】
このように、ＭＦＰ１００が省電力モードに移行した後、操作表示部３００への表示データの表示を必要とする復帰要求により省電力モードから復帰する場合は、ＭＦＰ１００はサーバー２００に対して、セレクタ３０の切替えについての許可確認を行い、許可の場合に、ＭＦＰ１００の描画制御部１０３と操作表示部３００とが接続されるように、セレクタ３０の切替えを実施し、切替え不可の場合は切替が実施されないから、サーバー２００側の画面を操作表示部３００に表示してユーザーが操作を行っている場合に、セレクタの切替えにより画面表示が意図せず切替えられてしまう不都合の発生を回避できる。
【００６８】
以上、本発明の一実施形態を説明したが、本発明は上記実施形態に限定されることはない。たとえば、ＭＦＰ１００のシステム制御部１０２が切替え制御部２０によるセレクタ３０の切替え制御を担った場合を説明したが、サーバー２００のシステム制御部２０２が担っても良い。この場合は、サーバー２００のシステム制御部２０２が、サーバー２００の省電力モードの移行に際して、セレクタ３０をＭＦＰ１００側と接続されるように事前切替えする。
【００６９】
また、複数の装置がＭＦＰ１００とサーバー２００である場合を説明したが、複数の装置は他の装置であっても良く、また３台以上の装置で１つの操作表示部３００を共用する複合装置であっても良い。
【符号の説明】
【００７０】
１０    複合装置
２０    切替え制御部
３０    セレクタ
１００  画像形成装置
１０２  システム制御部
１０３  描画制御部
１０４  表示データ
１０５  表示メモリ
２００  サーバー
２０２  システム制御部
２０３  描画制御部
２０４  表示データ
２０５  表示メモリ
３００  操作表示部
【図１】
2018133776.tif 000003
【図２】
2018133776.tif 000004
【図３】
2018133776.tif 000005
【図４】
2018133776.tif 000006
【図５】
2018133776.tif 000007